(57)【要約】【課題】テラスや軒下に懸架される物干し具の吊り材を、該テラスや軒天の天井面や垂木等が傾斜している場合にあっても簡単に垂直に調整して取り付け可能な取付角度調整具を備えた吊り材の懸架装置を提供する。【解決手段】水勾配を有して屋根部を保持するために傾斜を有した垂木を挟持して固定されたコの字形の取付金具、該コの字形の取付具にビス等にて固着された台座、該台座に割りピン等の回転軸にて回転可能に設置された固定具からなり、該固定具の一端は吊り材を挿着して該吊り材を懸架しており、また、前記固定具の他端は割ピン等の回転軸を介して回転可能な調整アームが設けられており、該調整アームの回転角を前記台座に螺着された調整ネジの締め付け動作や緩め動作にて可変可能となし、該調整アームの回転角度可変にて前記固定具に一端で懸架している吊り材を前記垂木の傾斜に関係なく垂直に調整し、該垂直に調整された吊り材位置を前記調整アームの端部で固定ネジにて台座に固着する。【選択図】図３
2007209574.tif 000002
【特許請求の範囲】
【請求項１】
傾斜を有した垂木面、並びに天井面にタッピングビスやアンカーボルト・ナットにて固着された台座、
該台座に割りピン等の回転軸にて回転可能に設置された固定具からなり、
該固定具の一端は吊り材を挿着して該吊り材を懸架しており、
また、前記固定具の他端は割ピン等の回転軸を介して回転可能な調整アームが設けられており、
該調整アームの回転角を前記台座に螺着された調整ネジの締め付け動作や緩め動作にて可変可能となし、
該調整アームの回転角度可変にて前記固定具に一端で懸架している吊り材を前記垂木の傾斜に関係なく垂直に調整し、
該垂直に調整された吊り材位置を前記調整アームの端部で固定ネジにて台座に固着することにより固定したこと、
を特徴とする取付角度調整具を備えた吊り材の懸架装置。
【請求項２】
水勾配を有して屋根部を保持するために傾斜を有した垂木を挟持して固定されたコの字形の取付金具、
該コの字形の取付具にビス等にて固着された台座、
該台座に割りピン等の回転軸にて回転可能に設置された固定具からなり、
該固定具の一端は吊り材を挿着して該吊り材を懸架しており、
また、前記固定具の他端は割ピン等の回転軸を介して回転可能な調整アームが設けられており、
該調整アームの回転角を前記台座に螺着された調整ネジの締め付け動作や緩め動作にて可変可能となし、
該調整アームの回転角度可変にて前記固定具に一端で懸架している吊り材を前記垂木の傾斜に関係なく垂直に調整し、
該垂直に調整された吊り材位置を前記調整アームの端部で固定ネジにて台座に固着することにより固定したこと、
を特徴とする取付角度調整具を備えた吊り材の懸架装置。
【請求項３】
前記調整アームの回転角度可変範囲の設定を水勾配のみを考慮した小さな可変範囲に設定することにより、台座の形状をよりプレート形状に近い形となしたこと、
を特徴とする請求項１または請求項２の何れかに記載の取付角度調整具を備えた吊り材の懸架装置。
【発明の詳細な説明】
【技術分野】
【０００１】
本発明は、テラスや軒下に物干し用の吊り材を垂直に取り付けするための取付角度調整具を備えた吊り材の懸架装置に関するものである。
【背景技術】
【０００２】
テラスや軒下に懸架された状態で設置される物干しは、一対の吊り材をテラス天井や軒下の梁や垂木から懸架して、該一対の吊り材間に物干し竿を装架する構成を有している。
【０００３】
然しながら、テラス天井や軒下の梁や垂木は水勾配を考慮して角度が付いているので、建物の床面に対して垂直を保つように設置するには、取付角度調整具を備えた吊り材が必要である。
【０００４】
而して、吊り材を傾斜の付いた天井面に垂直に取り付けるために、従来技術として、特開平９−３１３７８４号公報（以下、特許文献１と称する）、並びに特開平１１−３１３７８４号公報（以下、特許文献２と称する）が、公開されている。
【０００５】
特許文献１は、天井面に取り付ける物干竿受具おいて、天井面が傾斜している場合にも該物干竿受具を有する支柱を垂直に取り付けられるというものである。
【０００６】
そして、その構成は、受具を有する支柱の上端を取り付けて成る物干竿等の支持装置において、支持具は、基板と押え具を有し、基板には、円弧面を設けた受部を設けると共に、押え具には、基板の受部と対向するよう圧接部を設け、支柱の上端には固定部を設け、支柱の固定部を、基板の受部と押え具の圧接部の間に挟まれるように配して、支柱を支持具に一平面内でのみ揺動可能に取り付け、圧接部によって固定部を受具に圧接して固定可能に成し、支柱が支持具に対して角度可変に固定できるようにしている。
【０００７】
而して、上記、引用文献１においては、機構的に円弧面と円弧面の揺動による調整機構は動きが円滑でない。また、引用文献１は、構成が複雑であり、部品数も多いことから製作コストが高価となり、また、複雑で体裁の悪い機械的構成部分を化粧カバーにて覆うために、該化粧カバーの天井面に対する微調整具等も必要となり、施工が厄介で取付作業効率が悪いものであった。
【０００８】
次に、特許文献２は、特許文献１と同様に、天井面に取り付ける物干竿受具おいて、天井面が傾斜している場合にも該物干竿受具を有する支柱を垂直に取り付けられるというものであり、その構成は、引用文献１に比較して、格段に単純化されている。
【０００９】
そして、その構成は、支持具に、受具を有する支柱の上端を取り付けて成る物干竿等の支持装置において、支持具は、基板の両側下部に間隔をおいて対峙する一対の挟持板を設け、挟持板には、それぞれ支持用孔を設け、支柱の上端には固定部を設け、固定部には、固定用孔を設け、支持用孔と固定用孔の少なくとも一方を、基板より上の点を中心とする円弧状の長孔にして支柱を揺動可能にし、支持用孔及び固定用孔に挿通するねじにより締め付けて支柱を固定できるようにしている。
【００１０】
而して、上記、特許文献２においては、機構的に、基板より上の点を中心とする円弧状の長孔にして支柱を揺動可能にしていることから、調整機構は動きが円滑でない。また、特許文献２は、垂直に調整した支柱を固定する支持用孔及び固定用孔に挿通するねじは、限りなく天井面に近い位置で、しかも、天井面に対して平行方向に螺合して締め付けられるねじにて行われる構成のためにドライバー等の工具をセット出来ない等で施工性が悪い。
【特許文献１】特開平０９−３１３７８４号公報
【特許文献２】特開平１１−３１９３９０号公報
【発明の開示】
【発明が解決しようとする課題】
【００１１】
而して、本発明が解決しようとする課題は、テラスや軒下に懸架される吊り材を、該テラスや軒天の天井面や垂木等が傾斜している場合にあっても簡単に垂直に調整して取り付け固定可能な取付角度調整具を備えた吊り材の懸架装置を提供するものである。
【００１２】
また、本発明は、上記、取付角度調整具おいて、該取付角度調整具の構成部品数を非常に少なくして、製造コストを安価にすると共に、施工性の頗る良好な取付角度調整具を備えた吊り材の懸架装置を具現化するものである。
【課題を解決するための手段】
【００１３】
本発明は、水勾配を有して屋根部を保持するために傾斜を有した垂木を挟持して固定されたコの字形の取付金具、該コの字形の取付具にビス等にて固着された台座、該台座に割りピン等の回転軸にて回転可能に設置された固定具からなり、
該固定具の一端で吊り材を挿着して該吊り材を懸架しており、また、前記固定具の他端は割ピン等の回転軸を介して回転可能な調整アームが設けられており、該調整アームの回転角を前記台座に螺着された調整ネジの締め付け動作や緩め動作にて可変可能となし、該調整アームの回転角度可変にて前記固定具に一端で懸架している吊り材を前記垂木の傾斜に関係なく垂直に調整し、
該垂直に調整された吊り材位置を前記調整アームの端部で固定ネジにて台座に固着することにより固定したことを特徴とする取付角度調整具を備えた吊り材の懸架装置である。
【００１４】
また、本発明は、傾斜を有した垂木面、並びに天井面にタッピングビスやアンカーボルト・ナットにて固着された台座、該台座に割りピン等の回転軸にて回転可能に設置された固定具からなり、該固定具の一端は吊り材を挿着して該吊り材を懸架しており、また、前記固定具の他端は割ピン等の回転軸を介して回転可能な調整アームが設けられており、該調整アームの回転角を前記台座に螺着された調整ネジの締め付け動作や緩め動作にて可変可能となし、該調整アームの回転角度可変にて前記固定具に一端で懸架している吊り材を前記垂木の傾斜に関係なく垂直に調整し、該垂直に調整された吊り材位置を前記調整アームの端部で固定ネジにて台座に固着することにより固定したことを特徴とする取付角度調整具を備えた吊り材の懸架装置である。
【００１５】
また、本発明において、前記調整アームの回転角度可変範囲の設定は水勾配のみを考慮した小さな可変範囲に設定することにより、台座の形状をよりプレート形状に近い形となした取付角度調整具を備えた吊り材の懸架装置である。
【発明の効果】
【００１６】
斯くして、本発明は、取付角度調整具を備えた吊り材の懸架装置において、その取付角度調整具の構成は、台座と固定具、そして該固定具の回転角度可変用調整ネジ、並びに調整された回転角度を固定するための固定ネジからなる至ってシンプルで簡単なものであり、製作にあたりその製造コストは非常に安価なものになる。
【００１７】
また、本発明において、吊り材の角度調整具となる固定具は、台座に割りピン等の回転軸を介して回転可能に設置された構成で、該固定具の回転は、台座に螺着された調整ネジの締め付け動作や緩め動作にて可動可能ととしており、前記開示された特許文献１、並びに特許文献２の如く、圧着される構成の円弧状の揺動部を有しておらず、吊り材の角度調整は円滑で、作業性が頗る良い。
【００１８】
また、本発明において、吊り材の角度調整後の固定ネジによる調整位置の固定は、前記特許文献２の如く、天井面に対して平行方向に螺合して締め付けられるねじにて行われる構成ではなく、下方から天井面に向かっての固定ネジの締め付け作業となるために、取付時の作業性が頗る良い。
【００１９】
更にまた、本発明においては、吊り材の上端部に位置する 取付角度調整具の外観形状は、おおよそ台座の外観のみが天井面に現れるのみであるから、該取付角度調整具を特許文献１の如く、化粧カバーにて覆うことは必要性がなく、デザイン的にも優れた取付角度調整具を備えた吊り材の懸架装置を具現化できた。
【発明を実施するための最良の形態】
【００２０】
而して、本発明は、テラスや軒下に物干し用の吊り材を垂直に取り付けするための取付角度調整具を備えた吊り材の懸架装置に関するもので、水勾配を有して屋根部を保持するために傾斜を有した垂木を挟持して固定されたコの字形の取付金具、該コの字形の取付具にビス等にて固着された台座、該台座に割りピン等の回転軸にて回転可能に設置された固定具からなり、該固定具の一端は吊り材を挿着して該吊り材を懸架しており、また、前記固定具の他端は割ピン等の回転軸を介して回転可能な調整アームが設けられており、該調整アームの回転角を前記台座に螺着された調整ネジの締め付け動作や緩め動作にて可変可能となし、該調整アームの回転角度可変にて前記固定具に一端で懸架している吊り材を前記垂木の傾斜に関係なく垂直に調整し、該垂直に調整された吊り材位置を前記調整アームの端部で固定ネジにて台座に固着することにより固定したものであることが好ましい。
【００２１】
また、本発明は、傾斜を有した垂木面、並びに天井面にタッピングビスやアンカーボルト・ナットにて固着された台座、該台座に割りピン等の回転軸にて回転可能に設置された固定具からなり、該固定具の一端は吊り材を挿着して該吊り材を懸架しており、また、前記固定具の他端は割ピン等の回転軸を介して回転可能な調整アームが設けられており、該調整アームの回転角を前記台座に螺着された調整ネジの締め付け動作や緩め動作にて可変可能となし、該調整アームの回転角度可変にて前記固定具に一端で懸架している吊り材を前記垂木の傾斜に関係なく垂直に調整し、該垂直に調整された吊り材位置を前記調整アームの端部で固定ネジにて台座に固着することにより固定したものであることが好ましい。
【００２２】
また、本発明において、前記調整アームの回転角度可変範囲の設定を水勾配のみを考慮した小さな可変範囲に設定することにより、台座の形状をよりプレート形状に近い形とすることが好ましい。、
【実施例１】
【００２３】
図１乃至図４は、本発明の実施例１を説明するものであり、図１は、本発明の使用状態を説明する斜視図、図２は、図１の要部拡大説明図、図３は、図２にて示す取付角度調整具の要部拡大説明図、図４は、図３の側面図をそれぞれ示している。  
【００２４】
図１乃至図４において、１は水勾配を有する屋根部２を支持して傾斜を有している垂木（または梁）、３はコの字形の取付金具、４は取付金具にビス等にて固定されている台座、５は固定具、６は上部を前記固定具４に装着され垂木１より懸架された吊り材、７は該吊り材の下部に設置された竿掛けアーム、８a、８ｂ、８ｃ、８ｄは前記竿掛けアーム７に穿設された物干し竿挿通孔、９は前記物干し竿挿通孔８a、８ｂ、８ｃ、８ｄに挿通され、一対の物干し具に装架された物干し竿を示している。
【００２５】
而して、図２は図１の部分拡大図であり、前記、竿掛けアーム７の中央部には、吊り材６の長さ伸縮用レバー１０が設けられており、該長さ伸縮用レバー１０を操作することにより、吊り材６は伸縮して、図２に示す如く、竿掛けアーム７の高さを可変することができ、該機能は、干し物をする際には、竿掛けアーム７の高さを低いところに下ろして、洗濯物を干し、その後、乾燥させるために吊り材６の長さを収縮させて、洗濯物を高い位置に移動させることができる。
【００２６】
また、図３は、図２にて示す取付角度調整具１１の拡大説明図、図４は、図３の側面図を示している。
【００２７】
図３，図４において、水勾配を有して屋根部２を保持するために傾斜を有した構成の垂木１を挟持した形にて、該垂木１にビス１２ａ、１２ｂを介して固定されたコの字形の取付金具３を有し、また、該コの字形の取付具３には、ビス１３ａ、１３ｂにて固着された台座４が設置されている。
【００２８】
そして、前記台座４には、割りピン等の回転軸１４にて回転可能に設置された固定具５を有している。
【００２９】
而して、前記、固定具５の一端は、吊り材６を挿着してビス１５ａ、１５ｂにて固着された吊り材６を懸架しており、また、前記固定具５の他端は割ピン等の回転軸１４を介して回転可能な調整アーム１６が設けられている。そして、該調整アーム１６の回転角は前記台座４に螺着された調整ネジ１７の締め付け動作や、緩め動作にて可変可能としている。
【００３０】
尚、前記コの字形の取付具３の形状は、垂木等の形状変形変化に対応するように種々変更されうる。
【００３１】
従って、本発明は、調整アーム１６の回転角度可変にて前記固定具５に懸架している吊り材６を前記垂木１の傾斜に関係なく床面等に対して垂直に調整可能で、該垂直に調整された吊り材６の位置を前記調整アーム１６の端部で固定ネジ１８にて固定片１９を介して台座４に固着する取付角度調整具１１を備えた吊り材６の懸架装置である。
【実施例２】
【００３２】
図５乃至図７は、本発明の実施例２を説明するものであり、図５は、実施例２における取付角度調整具の要部拡大説明図、図６は、図５の側面図、図７は、実施例２の組立部品説明図である。
【００３３】
而して、図５乃至図７において、図１乃至図４と同一構成要素は同一符号にて示している。図５乃至図７において、１は水勾配を有する屋根部２を支持して傾斜を有している垂木（または梁）、４は垂木１の見付け面にビス１６ａ、１６ｂにて固定されている台座、５は固定具、６は上部を前記固定具４に装着され垂木１より懸架された吊り材であり、該吊り材６の下部には、図示を省略しているが、図１及び図２の如く、竿掛けアーム７が連繋されている。
【００３４】
而して、前記台座４には、割りピン等の回転軸１４にて回転可能に設置された固定具５を有している。
そして、前記、固定具５の一端は、吊り材６を挿着してビス１５ａ、１５ｂにて吊り材６を固着、懸架しており、また、前記固定具５の他端は割ピン等の回転軸１４を介して回転可能な調整アーム１６が設けられており、該調整アーム１６の回転角は前記台座４に螺着された調整ネジ１７の締め付け動作や、緩め動作にて可変可能としている。
【００３５】
従って、実施例２は、調整アーム１６の回転角度可変にて前記固定具５に懸架している吊り材６を前記垂木１の傾斜に関係なく床面等に対して垂直に調整可能で、該垂直に調整された吊り材６の位置を前記調整アーム１６の端部で固定ネジ１８にて固定片１８を介して台座４に固着する取付角度調整具１１を備えた吊り材６の懸架装置である。
【００３６】
また、実施例２においては、前記調整アーム１６の回転角度可変範囲の設定を水勾配のみを考慮した小さな可変範囲に設定することにより、台座４、並びに固定具５の形状を図７に示す如く、よりプレート形状に近い形の薄型とすることができる。
【００３７】
斯くして、本発明の実施例１、並びに実施例２においては、取付角度調整具１１を備えた吊り材６の懸架装置において、その取付角度調整具１１の構成は、台座４と固定具５、そして該固定具５の回転角度可変用の調整ネジ１７、並びに調整された回転角度を固定するための固定ネジ１８からなる、至ってシンプルで簡単なものであり、製作にあたりその製造コストは非常に安価なものになる。
【００３８】
また、本発明の実施例１並びに実施例２において、吊り材６の取付角度調整具１１となる固定具５は、台座４に割りピン等の回転軸１４を介して回転可能に設置された構成で、該固定具５の回転は、台座４に螺着された調整ネジ１７の締め付け動作や緩め動作にて可動可能ととしており、前記開示された特許文献１、並びに特許文献２の如く、圧着される構成の円弧状の揺動部を有しておらず、吊り材の角度調整は円滑で、作業性が頗る良い。  
【００３９】
また、本発明の実施例１、並びに実施例２において、吊り材６の角度調整後の固定ネジ１８による調整位置の固定は、前記特許文献２の如く、天井面に対して平行方向に螺合して締め付けられるねじにて行われる構成ではなく、下方から天井面に向かっての固定ネジ１８の締め付け作業となるために、作業性が頗る良い。
【００４０】
更にまた、本発明の実施例２において、吊り材６の上端部に位置する 取付角度調整具１１の外観形状は、おおよそ台座の外観のみが天井面に現れるのみであるから、該取付角度調整具を特許文献１の如く、化粧カバーにて覆うことは必要性がなく、デザイン的にも優れた取付角度調整具を備えた吊り材の懸架装置を具現化できた。
【００４１】
尚、本発明の実施例１、並びに実施例２においては、水勾配のある垂木（または梁）に本発明を実施する例について詳説したが、本発明は傾斜を有する天井面にビス、並びにアンカーボルトを用いて直接取付することも可能であることは、云うまでもない。
【産業上の利用可能性】
【００４２】
而して、本発明は、至ってシンプルで簡単な構成を有しており、製作にあたりその製造コストは非常に安価なものとなり、また、本発明においては吊り材の角度調整が至って円滑に行える。そして、前記角度調整後の固定ネジによる調整位置の固定は、下方から天井面に向かっての固定ネジの締め付け作業となるために、作業性が頗る良い等の利点を有し、産業上の利用の可能性は多大なものがある。
【図面の簡単な説明】
【００４３】
【図１】本発明の実施状態を説明する斜視図である。
【図２】本発明の実施例１を説明する図１の要部拡大説明図である。
【図３】図２の取付角度調整具の拡大説明図である。
【図４】図３の側面図である。
【図５】本発明の実施例２を示す説明図である。
【図６】図５の側面図である。
【図７】実施例２の組立部品説明図である。
【符号の説明】
【００４４】
１  垂木
２  屋根部
３  コの字形の取付金具
４  台座
５  固定具
６  吊り材
７  竿掛けアーム
８ａ、８ｂ、８ｃ、８ｄ  物干し竿挿通孔
９  物干し竿
１０  長さ伸縮レバー
１１  取付角度調整具
１２ａ、１２ｂ  ビス
１３ａ、１３ｂ  ビス
１４  回転軸
１５ａ、１５ｂ  ビス
１６  調整アーム
１７  調整ネジ
１８  固定ネジ
１９  固定片
【図１】
2007209574.tif 000003
【図２】
2007209574.tif 000004
【図３】
2007209574.tif 000005
【図４】
2007209574.tif 000006
【図５】
2007209574.tif 000007
【図６】
2007209574.tif 000008
【図７】
2007209574.tif 000009